(57)【要約】【課題】接続された軒樋端部との間に生じる隙間が目立たない外観の良好な軒樋用内継手を提供する。【解決手段】接続すべき双方の軒樋端部３０，３０の内面に沿って内嵌着され、双方の軒樋３０，３０の突き合わせ部分に生じる隙間Ｓを隠すための目隠し片３が、前面上端１０ａに設けられた構成とする。従来の外継手のように軒樋３０，３０の接続部分の外面に露出して美観を損なうことがない。しかも、双方の軒樋３０，３０の突き合わせ部分に生じる隙間Ｓを隠すための目隠し片３を軒樋用内継手Ａの前面上端１０ａに設けたので、軒樋端部３０と軒樋端部３０との間に生じた隙間Ｓが内側（背後）から覆われて外方（前方）から見ても隙間Ｓが目立たないため、外観が良好である。【選択図】図５
2006336200.tif 000002
【特許請求の範囲】
【請求項１】
接続すべき双方の軒樋端部の内面に沿って内嵌着され、双方の軒樋の突き合わせ部分に生じる隙間を隠すための目隠し片が、前面上端に設けられたことを特徴とする軒樋用内継手。
【請求項２】
接続すべき双方の軒樋端部の内面に沿って内嵌着される仮止用部材と、仮止用部材の中間部分の開口部において双方の軒樋端部の内面に沿って接着される接着用部材とからなり、双方の軒樋の突き合わせ部分に生じる隙間を隠すための目隠し片が、仮止用部材又は接着用部材の前面上端に設けられたことを特徴とする請求項１に記載の軒樋用内継手。
【請求項３】
仮止用部材と接着用部材が別個に形成されたことを特徴とする請求項１又は請求項２に記載の軒樋用内継手。
【請求項４】
係合耳縁が軒樋の前側耳部の断面形状に略沿うように形成され、且つ係合耳縁の上端が軒樋の内側方向に湾曲した断面形状であることを特徴とする請求項１ないし請求項３のいずれかに記載の軒樋用内継手。
【請求項５】
目隠し片の幅が５〜２０ｍｍであることを特徴とする請求項１ないし請求項４のいずれかに記載の軒樋用内継手。
【発明の詳細な説明】
【技術分野】
【０００１】
本発明は、美観を損なうことなく軒樋と軒樋を接続できる軒樋用内継手に関するものである。
【背景技術】
【０００２】
従来の軒樋用の外継手は軒樋の接続部分の外面に露出して美観を損なうため、外側片と底片と内側片とで構成された軒樋本体の内面に沿った外形状の継手本体の該外側片上端から底片までを切り欠いて切り起こしの可能な接着用可動部を設けた軒樋用の内継手が提案された（特許文献１）。
【０００３】
この内継手は、継手本体と接着用可動部が一体に形成されているので、作業時間を短縮できるという利点がある反面、接着剤が乾かないように仮止めの時間を短縮しなければならず、軒樋全体のバランスを充分調整して接続することが難しいという問題があった。そのため、接続すべき軒樋の端部と端部との間に隙間ができてしまうことが多く、特に、地上（前方）からこの隙間を見ると、接続された双方の軒樋の耳部と耳部の間に生じる隙間が目立って美観が損なわれるという問題があった。
【０００４】
この軒樋の端部同士の間に隙間が生じて美観を損なうという問題は、内継手全般に起こり得る問題であった。このような問題は、近年の住宅に見られる外観重視の傾向を考慮すると、到底無視することができない。
【特許文献１】特開２００２−１３２５９号公報
【発明の開示】
【発明が解決しようとする課題】
【０００５】
本発明は上記の事情に鑑みてなされたもので、接続された軒樋端部との間に生じる隙間が目立たない外観の良好な軒樋用内継手を提供することを解決課題としている。
【課題を解決するための手段】
【０００６】
上記目的を達成するため、本発明に係る軒樋用内継手は、接続すべき双方の軒樋端部の内面に沿って内嵌着され、双方の軒樋の突き合わせ部分に生じる隙間を隠すための目隠し片が、前面上端に設けられたことを特徴とするものである。
【０００７】
本発明の軒樋用内継手においては、接続すべき双方の軒樋端部の内面に沿って内嵌着される仮止用部材と、仮止用部材の中間部分の開口部において双方の軒樋端部の内面に沿って接着される接着用部材とからなり、双方の軒樋の突き合わせ部分に生じる隙間を隠すための目隠し片が、仮止用部材又は接着用部材の前面上端に設けられることが好ましい。また、仮止用部材と接着用部材が別個に形成されることが好ましく、係合耳縁が軒樋の前側耳部の断面形状に略沿うように形成され、且つ係合耳縁の上端は軒樋の内側方向に湾曲した断面形状であることがより好ましい。更に、目隠し片の幅が５〜２０ｍｍであることが好ましい。
尚、接着用部材がその後端部で仮止用部材と連続して形成されていてもよい。
【発明の効果】
【０００８】
本発明の軒樋用内継手は、内継手であるので従来の外継手のように軒樋の接続部分の外面に露出して美観を損なうことがない。しかも、双方の軒樋の突き合わせ部分に生じる隙間を隠すための目隠し片を軒樋用内継手の前面上端に設けたので、軒樋端部と軒樋端部との間に生じた隙間が内側（背後）から覆われて外方（前方）から見ても隙間が目立たないため、外観が良好である。
【０００９】
また、接続すべき双方の軒樋端部の内面に沿って内嵌着される仮止用部材と、仮止用部材の中間部分の開口部において双方の軒樋端部の内面に沿って接着される接着用部材とからなり、双方の軒樋の突き合わせ部分に生じる隙間を隠すための目隠し片が、仮止用部材又は接着用部材の前面上端に設けられた軒樋用内継手は、目隠し片によって上記と同様の隙間隠しの作用効果が得られることに加えて、接続すべき双方の軒樋の突き合わせ部分の内側に仮止用部材を内嵌着して仮止めしたまま軒樋全体のバランス調整や仮止用部材の位置調整を充分に行うことができ、特に、仮止用部材と接着用部材が別個に形成された軒樋用内継手は、位置調整後に接着用部材の外面に接着剤を塗布して該接着用部材を仮止用部材の開口部に嵌め込み、軒樋の突き合わせ部分の内面と接着用部材を接着して軒樋の接続を行うことができるので、接着用部材の外面に塗布された接着剤が仮止用部材の開口部に嵌め込む前に乾いてしまったり、仮止用部材の位置調整の際に接着剤が軒樋内面の不必要な部分に付着する心配なく接続作業を行うことができるといった作用効果も得られる。
【００１０】
また、係合耳縁が軒樋の前側耳部の断面形状に略沿うように形成され、且つ係合耳縁の上端が軒樋の内側方向に湾曲した断面形状である軒樋用内継手は、係合耳縁の上端に指を引っ掛け易いので施工性が向上する。
【００１１】
更に、目隠し片の幅が５〜２０ｍｍである軒樋用内継手は、目隠し片の幅が必要以上に広くなく、しかも、継手本体の嵌合段差部より上側の端部と軒樋端部との間に生じる隙間を背後から覆うのに充分な幅であるため、確実に上記隙間を隠すことができ、樹脂の使用量を節約することもできる。
【発明を実施するための最良の形態】
【００１２】
以下、図面を参照して本発明の具体的な実施形態を詳述するが、本発明はこの実施形態のみに限定されるものではない。
【００１３】
図１は本発明の一実施形態に係る軒樋用内継手の斜視図、図２は同内継手の仮止用部材の斜視図、図３は同内継手の接着用部材の斜視図、図４は仮止用部材を軒樋の突き合わせ端部の内側に嵌合して仮止めした状態を示す斜視図、図５は同内継手で軒樋を接続した状態を示す斜視図である。
【００１４】
図１に示す軒樋用内継手Ａ（以下、単に内継手という）は、図２に示す合成樹脂製の仮止用部材１と、この仮止用部材１の中間の開口部１３に嵌め込まれる、図３に示す合成樹脂製の接着用部材２とから構成されたものであって、図５に示すように軒樋３０と軒樋３０を内側から接続するものである。
【００１５】
図２、図４に示す仮止用部材１は、接続すべき軒樋３０，３０の内面形状に沿った前面板１０と底面板１１と後面板１２を備えたもので、前面板１０の上端には、軒樋３０の前側耳部３０ａに内側から係合させる係合耳縁１０ａが形成されており、この係合耳縁１０ａの中間部分には目隠し片３が一体に立設されている。また、後面板１２の上端にも軒樋３０の後側耳部３０ｂに内側から係合させる係合耳縁１２ｂが形成されており、この係合耳縁１０ａ，１２ｂを残して、前面板１０と底面板１１と後面板１２の長さ方向の中間部分には、接着用部材２を嵌め込む開口部１３が形成されて、この開口部１３を挟んで前面板１０、底面板１１、後面板１２は長さ方向に二分割されている。
【００１６】
二分割された前面板１０の長さ方向両端部１０，１０と、二分割された後面板の長さ方向両端部１２，１２は、補強材５，５で連結されている。この補強材５は、前面板１０及び後面板１２と一体に成形された板状体で、二分割された前面板１０及び後面板１２のそれぞれの長さ方向両端部に前後から外力が加わっても、これらの長さ方向両端部が軒樋の内側方向に傾くように変形することがないように形成されたものである。その一方で前面板１０及び後面板１２はある程度内側にしなる弾力性がないと軒樋３０に嵌め込むことが難しくなるので、補強材５は、前面板１０及び後面板１２の高さの略１／２程度の高さ位置に設けるのが好ましい。
【００１７】
仮止用部材１の前面板１０の上端に形成された係合耳縁１０ａは、軒樋３０の前側耳部３０ａの断面形状に略沿うように湾曲し、且つ係合耳縁１０ａの上端が前側耳部３０ａから徐々に離れるように軒樋の内側方向に湾曲した略S字形の断面形状を備えており、このような形状とすることにより仮止用部材１を嵌め込む際、或いは万一取り外す場合も、前側耳部３０ａの上端部に指が引っ掛かり易くなり、施工性が向上する。後面板１２の上端に形成された係合耳縁１２ｂは、軒樋３０の後側耳部３０ｂに対応する略Ｌ字形の断面形状を備えている。そして、図５に示すように、この係合耳縁１０ａの軒樋３０，３０の突き合わせ部分に相当する位置（本実施例では、仮止用部材１の前面板１０の係合耳縁１０ａの長さ方向の中間部分）から目隠し片３が上方へ立設されている。この目隠し片３は、軒樋３０と軒樋３０を接続したときに、軒樋の耳部３０ａの上側端部と軒樋の耳部３０ａの上側端部との間に生じる隙間Ｓを背後から覆うことにより目立たないように隠すものであって、軒樋の耳部３０ａの上端までを背後から覆うようになっている。また、目隠し片３の幅は、上記隙間Ｓを背後から覆うのに充分な５〜２０ｍｍの範囲内に形成してあり、必要以上に広く形成していないので、樹脂の使用量を節約することもできる。
【００１８】
尚、本実施例では、目隠し片３が前面板１０ａの係合耳縁１０ａの中間部分に設けられてあるが、隙間Ｓが係合耳縁１０ａの中間部分以外に位置するときは、それに合わせて設ければよいことはいうまでもない。また、目隠し片３の形状は隙間Ｓを背後から覆うものであればどのような形状でもよく、例えば、軒樋３０の耳部３０ａと同形状の目隠し片３で軒樋３０の耳部３０ａに沿わすようにして隙間Ｓを隠すようにしてもよい。
【００１９】
また、仮止用部材１の前面板１０上端の係合耳縁１０ａの長さ方向中間には、接着用部材２を開口部１３に嵌め込むときに、接着用部材２に塗布した接着剤の掻き取りを防止する突起片４が後向きに突設されている。この突起片４の先端面は、接着用部材２を小さな抵抗でスムーズに開口部１３に嵌め込めるように、丸みのある曲面に形成されており、特に嵌合する際の摺接方向にＲ面を持つよう形成するとなお良い。また、突起片４の突出寸法は、接着用部材２を嵌め込むときに、仮止用部材１の前面板１０上端の係合耳縁１０ａと接着用部材２の前板部２０との間に接着剤の塗布厚みより大きいクリアランスが形成され、且つ、接着用部材２の底板部２１の前端から前板部２０が略垂直に立上がるコーナー部が軒樋３０の同じコーナー部に摺接することのない突出寸法であり、具体的には２〜２５ｍｍ程度の突出寸法が最適とされる。
【００２０】
尚、仮止用部材１の前面板１０の係合耳縁１０ａ又は後面板１２の係合耳縁１２ｂの長さ方向中央に、軒樋３０，３０の端部を突き合わせる位置を示す目印を設けてもよく、その場合は位置合わせが容易になって作業性が向上する利点がある。
【００２１】
接着用部材２は、図３、図５に示すように、接続する軒樋３０の内面形状に沿った前板部２０と底板部２１と後板部２２を備えたもので、上記仮止用部材１の長さ方向中間部に形成された開口部１３に嵌め込まれるようになっている。
【００２２】
この接着用部材２の前板部２０、底板部２１、後板部２２の形状は、上記仮止用部材１の前面板１０、底面板１１、後面板１２と略同形状であって、前板部２０の上端には、仮止用部材１の前面板１０上端の係合耳縁１０ａに内側から係合させる断面が略Ｓ字形の係合縁２０ａが形成されている。
【００２３】
この係合縁２０ａの長さ方向の中間位置（突起片４に対応する位置）には凹型の切欠部６が形成されており、接着用部材２を開口部１３に嵌め込んだときに、突起片４がこの切欠部６に嵌まり込むようになっている。
【００２４】
一方、接着用部材２の外面には、その前板部２０から底板部２１を経て後板部２２に至る４条の溝２ａが設けられており、その４条の溝２ａには、合成ゴム等からなる防水用のパッキン２ｂが嵌着されている。尚、溝２ａやパッキン２ｂの数は適宜増減してもよい。
【００２５】
このように、接着用部材２の外面に溝２ａを設けてパッキン２ｂを嵌着してあると、万一、軒樋３０の接続端部の内面に対する接着用部材２の接着が不充分であっても、パッキン２ｂが軒樋３０の接続端部の内面に密着して防水作用を発揮するため軒樋３０の接続部分から水が漏れ出すのを防ぐことができるし、また、接着剤を過剰に塗布したとしても、パッキン２ｂの外側に接着剤がはみ出すのを防ぐことができるので軒樋３０，３０の突き合わせ部から接着剤が漏れることもない。そして、軒樋３０，３０の突き合わせ端部に多少のズレが生じたとしても、柔軟なパッキン２ｂによってズレを修正することもできる。
【００２６】
以上のような内継手Ａを用いて軒樋３０，３０を接続するには、図４に示すように軒樋３０，３０の端部同士を突き合わせ、仮止用部材１を軒樋３０，３０の突き合わせ端部の内側に内嵌着させて、軒樋３０，３０の耳部３０ａ，３０ｂに係合耳縁１０ａ，１２ｂを内側下方から係合させて仮止めする。そして、この仮止め状態で、接続される軒樋３０，３０の全体のバランスを充分に調整する。
【００２７】
次に、接着用部材２の外面に接着剤を塗布し、接着用部材２の後板部２２の上端を後面板１２の係合耳縁１２ｂの底面に係止させて、その係止部分を支点として接着用部材２を下方に回動させ、前板部２０上端の係合縁部２０ａを接着用部材２の弾性変形を利用して軒樋３０の前側耳部３０ａと前面板１０の係合耳縁１０ａに内側下方から係合させて接着用部材２を開口部１３に嵌め込み、軒樋３０，３０の突き合わせ端部の内面に接着用部材２を接着して双方の軒樋３０，３０を接続する。このとき、前面板１０上端に設けられたの突起片４が接着用部材２の外面に摺接して、前面板１０上端の係合耳縁１０ａと接着用部材２の前板部２０の外面との間にクリアランスを確保するため、このクリアランスによって、接着用部材２に塗布された接着剤の掻き取りが防止される。
【００２８】
上記のように、この内継手Ａは、仮止用部材１で接続すべき軒樋３０，３０の端部を仮止めして軒樋全体のバランスを調整するので、時間をかけて念入りにバランス調整を行なうことができ、その後、接着用部材２に接着剤を塗布して開口部１３に嵌め込んで軒樋３０，３０の端部を接着するため、接着前に接着剤が乾く心配がなく、しかも、上記のように接着用部材２を開口部１３に嵌め込む際に突起片４によって接着剤の掻き取りを防止できるため、軒樋３０，３０の端部の内面に接着用部材２を密着状態で強固かつ水密的に接着して軒樋３０，３０を接続することができ、施工性が極めて良好である。また、目隠し片３がなければ、軒樋耳部３０ａの上側端部と軒樋耳部３０ａの上側端部との間に生じる隙間Ｓが良く目立つので美観が損なわれるが、この内継手Ａのように目隠し片３が形成されていると、隙間Ｓが背後から覆われ前方から見ても隙間Ｓが目立たなくなり、しかも、内継手Ａは軒樋３０，３０の接続部分の内側に隠れて前方や下方から見えないため、軒樋３０，３０の接続部分の外観が良好で、建物の美観を損なうことがない。特に、この実施形態における目隠し片３は、軒樋３０の前側耳部３０ａの上端まで立設されて、その幅が５〜２０ｍｍの範囲内に設定されているので、隙間Ｓ隠しの効果が顕著である。
尚、本実施例の軒樋用内継手Ａは、仮止用部材１と接着用部材２が別個に形成されているが、接着用部材２がその後板部２２で仮止用部材１と連続して形成されていてもよい。
【図面の簡単な説明】
【００２９】
【図１】本発明の一実施形態に係る軒樋用内継手の斜視図である。
【図２】同内継手の仮止用部材の斜視図である。
【図３】同内継手の接着用部材の斜視図である。
【図４】仮止用部材を軒樋の突き合わせ端部の内側に嵌合して仮止めした状態を示す斜視図である。
【図５】同内継手で軒樋を接続した状態を示す斜視図である。
【符号の説明】
【００３０】
Ａ      軒樋用内継手
１      仮止用部材
２      接着用部材
３      目隠し片
４      突起片
１０    前面板
１０ａ  係合耳縁
１１    底面板
１２    後面板
１２ｂ  係合耳縁
１３    開口部
２０    前板部
２１    底板部
２２    後板部
２０ａ  係合縁
３０    軒樋
３０ａ  前側耳部
３０ｂ  後側耳部
【図１】
2006336200.tif 000003
【図２】
2006336200.tif 000004
【図３】
2006336200.tif 000005
【図４】
2006336200.tif 000006
【図５】
2006336200.tif 000007